(57)【特許請求の範囲】
【請求項１】
テキストデータとイメージデータとが混在した画像データを取得し、この画像データに基づいて記録媒体への画像形成を行う画像形成装置において、
上記画像データからテキストデータのみを抽出するテキスト抽出手段と、
上記画像データからイメージデータのみを抽出するイメージ抽出手段と、
上記テキスト抽出手段からのテキストデータ及びイメージ抽出手段からのイメージデータをそれぞれ受け、これら各データによって画像形成が行われる記録媒体上のエリアをそれぞれ個別に認識するエリア認識手段と、
画像形成モードが「試し印刷モード」であるとき、画像形成形式として、「テキスト画像抽出形式」、「イメージ画像抽出形式」、「エリア枠形式」、または、「ドラフト形式」のいずれか１つが選択されており、
「テキスト画像抽出形式」が選択されていると、上記エリア認識手段からの出力を受け、テキストデータによって画像形成が行われる記録媒体上のエリアに対してそのテキストデータによる画像形成が行われ、
「イメージ画像抽出形式」が選択されていると、上記エリア認識手段からの出力を受け、イメージデータによって画像形成が行われる記録媒体上のエリアに対してそのイメージデータによる画像形成が行われ、
「エリア枠形式」が選択されていると、上記エリア認識手段からの出力を受け、テキストデータによって画像形成が行われる記録媒体上のエリアに対してエリアの外縁を線図により描く画像形成が行われると共に、イメージデータによって画像形成が行われる記録媒体上のエリアに対してエリアの外縁を線図により描く画像形成が行われ、
「ドラフト形式」が選択されていると、上記エリア認識手段からの出力を受け、テキストデータによって画像形成が行われる記録媒体上のエリアのテキストデータに対しては個々の文字部分に対応して四角形状の枠を描く画像形成が行われると共に、イメージデータによって画像形成が行われる記録媒体上のエリアのイメージデータに対してその画像の輪郭のみを描く画像形成が行われる試し印刷手段と、を備えることを特徴とする画像形成装置。
【請求項２】
請求項１に記載の画像形成装置において、
上記試し印刷手段は、画像形成形式として、「エリア枠形式」が選択されている場合に、テキストデータによって画像形成が行われる記録媒体上のエリアの外縁の線図による表示形態と、イメージデータによって画像形成が行われる記録媒体上のエリアの外縁の線図による表示形態とを互いに異ならせるようにすると共に、
上記異なる表示形態は、エリアの外縁の線種または色であることを特徴とする画像形成装置。
【請求項３】
テキストデータとイメージデータとが混在した画像データを取得し、この画像データに基づいて記録媒体への画像形成を行う画像形成方法において、
画像形成モードが「試し印刷モード」であるとき、上記請求項１または請求項２に記載の画像形成装置における試し印刷手段によって記録媒体に対する画像形成動作を実行することを特徴とする画像形成方法。
【発明の詳細な説明】
【０００１】
【発明の属する技術分野】
本発明は、インクジェットプリンタ等に代表される画像形成装置及びこの画像形成装置において実行される画像形成方法に係る。特に、本発明は、画像の試し印刷（記録用紙上への画像の試し打ち）を行う際の改良に関する。
【０００２】
【従来の技術】
従来より、インクジェットプリンタにおける画像形成動作としては、先ず、給紙トレイに収容されている複数枚の用紙のうち１枚を搬送路に送り出し、この用紙を、搬送路を経て画像形成部に供給する。そして、この画像形成部において用紙表面にインク滴を吐出することで所定の画像形成を行った後に、この用紙を排出トレイに排紙するようになっている。
【０００３】
この種のインクジェットプリンタにおいて、記録用紙上での画像レイアウトを実際の記録用紙上で確認したい場合には、「試し印刷モード」での画像形成動作が実行される。例えば、複数色で成る画像を形成するためのカラー画像データに基づいた画像形成動作を実行する前に、全ての画像データに基づいた画像形成動作を黒色インクのみを用いて実行する。つまり、例えば複数色のイメージデータやテキストデータに対して全ての色データを黒色に統一して画像形成動作を実行し、記録用紙上の画像レイアウト（イメージ画像とテキスト画像の配置状態）を実際の記録用紙上で確認できるようにしている。
【０００４】
また、「試し印刷モード」での画像形成動作を開示するものとして、特開平８−１８１８４９号公報がある。この公報には、画像データ中の全画像の輪郭部分を抽出し、この得られた輪郭画像データのみに基づいた試し印刷を実行することが開示されている。
【０００５】
【発明が解決しようとする課題】
以上のように、従来の「試し印刷モード」は、取得した画像データの全てを対象として単色で画像形成動作を実行したり、全画像の輪郭部分を抽出し、その抽出した全画像の輪郭を記録用紙上に描いていた。このため、全ての画像データのうち一部の画像データのみに対してレイアウト確認を行いたい場合であっても、全ての画像に対して画像形成動作が実行されてしまう。つまり、必要以外の箇所（確認の必要のない部分）まで試し印刷が行われることになる。その結果、この「試し印刷モード」において、消費インク量の削減化を図ったり試し印刷動作に要する時間の短縮化を図るには限界があった。
【０００６】
また、複数のカラー画像データに基づいた画像形成動作を実行する前に、一部のカラー画像の色合いのみを記録用紙上で確認したいといった要求がある。ところが、従来の「試し印刷モード」では、全ての画像データに対してカラー画像の画像形成動作が実行されてしまうため、事実上、この要求に応え得る「試し印刷モード」での画像形成動作は行えないものとなっていた。
【０００７】
本発明は、かかる点に鑑みてなされたものであり、その目的とするところは、画像形成の試し印刷動作において、必要最小限の画像形成動作のみを実行させることで、試し印刷に要するインク量を削減し、且つ試し印刷動作に要する時間の短縮化を図ることができる画像形成装置及び画像形成方法を提供することにある。
【０００８】
【課題を解決するための手段】
−発明の概要−
上記の目的を達成するために、本発明は、取得した全ての画像データをデータの種類毎に種別し、これら種別された画像データの中から試し印刷が要求されたデータのみに基づいた画像形成動作が実行されるようにしている。
【０００９】
−解決手段−
具体的には、テキストデータとイメージデータとが混在した画像データを取得し、この画像データに基づいて記録媒体への画像形成を行う画像形成装置を前提とする。この画像形成装置に対し、テキスト抽出手段、イメージ抽出手段、エリア認識手段、試し印刷手段を備えさせている。テキスト抽出手段は、上記画像データからテキストデータのみを抽出する。イメージ抽出手段は、上記画像データからイメージデータのみを抽出する。エリア認識手段は、テキスト抽出手段からのテキストデータ及びイメージ抽出手段からのイメージデータをそれぞれ受け、これら各データによって画像形成が行われる記録媒体上のエリアをそれぞれ個別に認識する。そして、試し印刷手段は、次のような動作を行う。即ち、まず、前提として、画像形成モードが「試し印刷モード」であるとき、画像形成形式として、「テキスト画像抽出形式」、「イメージ画像抽出形式」、「エリア枠形式」、または、「ドラフト形式」のいずれか１つが選択されている。そして、画像形成形式として、「テキスト画像抽出形式」が選択されていると、上記エリア認識手段からの出力を受け、テキストデータによって画像形成が行われる記録媒体上のエリアに対してそのテキストデータによる画像形成を行う。画像形成形式として、「イメージ画像抽出形式」が選択されていると、上記エリア認識手段からの出力を受け、イメージデータによって画像形成が行われる記録媒体上のエリアに対してそのイメージデータによる画像形成を行う。画像形成形式として、「エリア枠形式」が選択されていると、上記エリア認識手段からの出力を受け、テキストデータによって画像形成が行われる記録媒体上のエリアに対してエリアの外縁を線図により描く画像形成を行うと共に、イメージデータによって画像形成が行われる記録媒体上のエリアに対してエリアの外縁を線図により描く画像形成を行う。そして、画像形成形式として、「ドラフト形式」が選択されていると、上記エリア認識手段からの出力を受け、テキストデータによって画像形成が行われる記録媒体上のエリアのテキストデータに対しては個々の文字部分に対応して四角形状の枠を描く画像形成を行うと共に、イメージデータによって画像形成が行われる記録媒体上のエリアのイメージデータに対してその画像の輪郭のみを描く画像形成を行う。また、上記試し印刷手段は、画像形成形式として、「エリア枠形式」が選択されている場合に、テキストデータによって画像形成が行われる記録媒体上のエリアの外縁の線図による表示形態と、イメージデータによって画像形成が行われる記録媒体上のエリアの外縁の線図による表示形態とを互いに異ならせるようにしている。
【００１０】
上記の特定事項により、画像形成形式として、「テキスト画像抽出形式」が選択されていると、テキストデータによって画像形成が行われる記録媒体上のエリアに対してそのテキストデータによる画像形成が行われる。画像形成形式として、「イメージ画像抽出形式」が選択されていると、イメージデータによって画像形成が行われる記録媒体上のエリアに対してそのイメージデータによる画像形成が行われる。画像形成形式として、「エリア枠形式」が選択されていると、テキストデータによって画像形成が行われる記録媒体上のエリアに対してエリアの外縁を線図により描く画像形成が行われると共に、イメージデータによって画像形成が行われる記録媒体上のエリアに対してエリアの外縁を線図により描く画像形成が行われる。そして、画像形成形式として、「ドラフト形式」が選択されていると、テキストデータによって画像形成が行われる記録媒体上のエリアのテキストデータに対しては個々の文字部分に対応して四角形状の枠を描く画像形成（ドラフト処理）が行われると共に、イメージデータによって画像形成が行われる記録媒体上のエリアのイメージデータに対してその画像の輪郭のみを描く画像形成（ドラフト処理）が行われる。このように本発明では、「試し印刷モード」としてユーザが要求するデータのみによる画像形成動作を行ったり、このデータを加工処理（エリアの外縁を線図により描くことやドラフト処理）して画像形成動作を行うことにより、確認の必要のない部分に対する試し印刷を実行しないことで、「試し印刷モード」における消費インク量の削減化及び試し印刷動作に要する時間の短縮化を図ることが可能である。特に、「エリア枠形式」が選択された場合には、テキスト、イメージの各データ何れに対してもエリアの外縁のみを線図により描くようにしているため、消費インク量の大幅な削減化及び試し印刷動作に要する時間の大幅な短縮化を図ることができる。
【００１８】
また、画像形成形式として、「エリア枠形式」が選択されている場合に、記録媒体上のエリアの外縁の線図による表示形態を異ならせる場合の具体例として、その外縁の線種または色を異ならせることが揚げられる。この場合、一方の外縁を実線で、他方の外縁を破線でそれぞれ描くようにしてもよい。
【００１９】
また、データ種類毎に異なる色での画像形成動作が可能な構成とした場合には、各データ種類毎の視認性を良好に得ることができる。例えば、テキストデータによる画像形成を黒色で実行し、イメージデータによる画像形成を赤色で実行することにより、各データによる画像形成エリアの判別を明確に行うことができる。この場合、データ種類毎の色をユーザが任意に設定できるようにした場合には、視認性の良好な色を選択することによって、試し印刷後のエリア確認作業が容易になる。
【００２０】
また、画像形成モードが「試し印刷モード」であるとき、上記各解決手段のうち何れか一つに記載の画像形成装置における試し印刷手段によって記録媒体に対する画像形成動作を実行する画像形成方法も本発明の技術的思想の範疇である。
【００２１】
【発明の実施の形態】
以下、本発明の実施の形態を図面に基づいて説明する。本形態では、カラーインクジェットプリンタに本発明を適用した場合について説明する。
【００２２】
図１は、本形態に係るカラーインクジェットプリンタ１の外観（カバー１１が開放された状態）を示す斜視図である。また、図２は、カラーインクジェットプリンタ１の内部構成を示す側面図である。
【００２３】
これらの図に示すように、本形態に係るインクジェットプリンタ１は、給紙部２、分離部３、搬送部４、画像形成部５及び排出部６を備えている。
【００２４】
給紙部２は、略鉛直方向に延びる給紙トレイ２１及び図示しないピックアップローラを備えており、画像形成動作開始時に給紙トレイ２１内の記録媒体としての記録用紙Ｐをピックアップローラによって取り出して分離部３に向けて搬送するようになっている。また、上記給紙トレイ２１は、画像形成動作を行わない際には、記録用紙Ｐの保管部として機能する。
【００２５】
分離部３は、給紙部２から供給される記録用紙Ｐを、画像形成部５に向けて一枚ずつ供給するためのものであり、給紙ローラ３１及び分離器３２を備えている。分離器３２では、パッド部分（記録用紙Ｐとの接触部分）と記録用紙Ｐとの摩擦力が、記録用紙Ｐ，Ｐ同士の間の摩擦力より大きくなるように設定されている。また、給紙ローラ３１では、この給紙ローラ３１と記録用紙Ｐとの摩擦力が、分離器３２のパッドと記録用紙Ｐとの摩擦力や、記録用紙Ｐ，Ｐ同士の間の摩擦力よりも大きくなるように設定されている。そのため、ピックアップローラによって複数枚の記録用紙Ｐ，Ｐ，…が取り出されて分離部３まで送られてきたとしても、給紙ローラ３１によって、これら複数の記録用紙Ｐ，Ｐ，…を分離し、最も上側の一枚の記録用紙Ｐのみを搬送部４に送ることができるようになっている。
【００２６】
搬送部４は、分離部３より一枚ずつ供給される記録用紙Ｐを、画像形成部５に向けて搬送するためのものであり、ガイド板４１及び搬送ローラ対４２を備えている。搬送ローラ対４２は、記録用紙Ｐをインクヘッド５２とプラテン５３との間に送り込む際に、インクヘッド５２からのインク滴が記録用紙Ｐの適切な位置に吹き付けられるように、記録用紙Ｐの搬送を調整する部材である。
【００２７】
画像形成部５は、搬送部４の搬送ローラ対４２から供給される記録用紙Ｐへ画像形成を行うためのものであり、複数のインクカートリッジ８１〜８４、インクヘッド５２、これらインクカートリッジ８１〜８４及びインクヘッド５２を搭載したキャリッジ５１、このキャリッジ５１を主走査方向に案内するためのガイドシャフト５４、画像形成時に記録用紙Ｐの支持台となる上記プラテン５３を備えている。また、上記インクカートリッジ８１〜８４は、Ｂｋ（ブラック），Ｙ（イエロー），Ｍ（マゼンタ），Ｃ（シアン）の各インク毎に個別にキャリッジ５１上に搭載されており、それぞれが独立して交換可能となっている。また、本形態では、各インクカートリッジ８１〜８４のうちＹ，Ｍ，Ｃの各カラーインクカートリッジ８２〜８４に比べてＢｋインクカートリッジ８１が大型のものとなっている。
【００２８】
排出部６は、画像形成が行われた記録用紙Ｐを回収する部分であり、記録用紙Ｐ上のインクを乾燥させるための図示しないインク乾燥部、排出ローラ６１及び排出トレイ６２を備えている。
【００２９】
上記の構成において、インクジェットプリンタ１は、次のような動作によって画像形成を行う。先ず、図示しないコンピュータ等の外部端末から画像データに基づく画像形成要求がインクジェットプリンタ１に対してなされる。画像形成要求を受信したインクジェットプリンタ１は、給紙トレイ２１上の記録用紙Ｐを、ピックアップローラによって給紙部２より搬出する。次に、搬出された記録用紙Ｐは、給紙ローラ３１によって分離部３を通過し、搬送部４へと送られる。搬送部４では、搬送ローラ対４２によって、記録用紙Ｐをインクヘッド５２とプラテン５３との間へと送る。そして、画像形成部５では、インクヘッド５２のインクノズルよりプラテン５３上の記録用紙Ｐへ、画像データに対応してインク滴が吹き付けられる。この時、記録用紙Ｐはプラテン５３上で一旦停止されている。インク滴を吹き付けつつ、キャリッジ５１は、ガイドシャフト５４に案内されて、主走査方向（図１におけるＤ２方向）に一ライン分走査される。それが終了すると、記録用紙Ｐは、プラテン５３上で副走査方向（図１におけるＤ１方向）に一定の幅だけ移動する。画像形成部５において、上記処理が画像データに対応し継続して実施されることにより、記録用紙Ｐの全面に画像形成がなされる。このようにして画像形成が行われた記録用紙Ｐは、インク乾燥部を経て、排出ローラ６１によって排出トレイ６２に排出される。これにより、記録用紙Ｐは印刷物としてユーザに提供されることになる。
【００３０】
以上の各部の動作は、制御部によって制御されるものである。以下、この制御部について説明する。
【００３１】
図３は、本インクジェットプリンタ１の制御部の構成を示すブロック図である。この制御部は、ＣＰＵ７によって制御されるキャリッジ駆動回路７１、用紙搬送駆動手段７２、インクヘッド駆動手段７３、画像データ入力手段７４、ドットカウンタ７５を備えている。
【００３２】
キャリッジ駆動回路７１は、上記キャリッジ５１を主走査方向に往復移動させるための駆動源であるキャリッジモータの駆動を制御する。
【００３３】
用紙搬送駆動手段７２は、記録用紙Ｐを副走査方向に搬送するための上記給紙ローラ３１、搬送ローラ対４２、排出ローラ６１の駆動をそれぞれ制御する。
【００３４】
インクヘッド駆動手段７３は、画像データを受けてインクヘッド５２の駆動を制御する。つまり、上記キャリッジ５１の走査や記録用紙Ｐの搬送と連繋して、ブラックヘッドや各カラーヘッドに設けられた複数の圧電素子をインク色毎に区別して駆動し、各インクノズルからのインク滴の吐出制御を行い、記録用紙Ｐ上に所定の画像形成を行うようになっている。
【００３５】
画像データ入力手段７４は、図示しない通信用インターフェースを備え、接続ケーブルを介してホストコンピュータ等に接続されており、このホストコンピュータ等から送信される画像データを受信可能となっている。
【００３６】
また、ＣＰＵ７には、図示しないＲＯＭが接続されている。このＲＯＭには、上記キャリッジ駆動回路７１、用紙搬送駆動手段７２、インクヘッド駆動手段７３を制御して記録用紙Ｐ上にカラー画像を記録する画像記録制御の制御プログラムなどが格納されている。
【００３７】
また、ドットカウンタ７５は、画像形成動作の実行に伴って記録用紙Ｐ上に吐出されるドット（インク滴）の数を画像データに基づいて認識し、このドット数を、インクカートリッジ８１〜８４が新品のものに交換された時点から各インクカートリッジ８１〜８４毎にカウントし、これを積算して記憶するものである。つまり、これらドット数を確認することによって各インクカートリッジ８１〜８４のインク残量を推測することができるようになっている。
【００３８】
そして、本形態の特徴とするところは、上記制御部に、試し印刷モード認識部７６、データ種別手段７７及びエリア認識手段７８が備えられ、また、ＣＰＵ７に試し印刷手段７９が備えられていることにある。
【００３９】
試し印刷モード認識部７６は、上記ホストコンピュータ等の操作によってユーザが設定した画像形成モードに基づく発信信号を取得し、画像形成モードが「試し印刷モード」であるか否かを判別するものである。つまり、画像形成モードが「試し印刷モード」である場合には、後述する試し印刷動作が実行され、画像形成モードが「通常印刷モード」である場合には、上述した通常の画像形成動作が実行される。
【００４０】
データ種別手段７７は、画像データをデータ種類毎に種別するものである。具体的には、このデータ種別手段７７はテキスト抽出手段７７Ａ及びイメージ抽出手段７７Ｂを備えている。テキストデータとイメージデータとが混在した画像データが画像データ入力手段７４に入力された際、テキスト抽出手段７７Ａは画像データからテキストデータのみを抽出し、イメージ抽出手段７７Ｂは画像データからイメージデータのみを抽出し、それぞれを個別に記憶する。
【００４１】
エリア認識手段７８は、上記テキスト抽出手段７７Ａからのテキストデータ及びイメージ抽出手段７７Ｂからのイメージデータをそれぞれ受け、これら各データによって画像形成が行われる記録用紙Ｐ上のエリアをそれぞれ個別に認識するものである。
【００４２】
試し印刷手段７９は、上記試し印刷モード認識部７６及びデータ種別手段７７の出力を受け、画像形成モードが「試し印刷モード」であるとき、上記種別した複数のデータ種類（テキストデータ、イメージデータ）のうち任意に選択された一部の種類のデータによって画像形成される記録用紙Ｐ上の所定エリアのみに対して、その選択されたデータによる画像形成動作を実行するものである。具体的には、テキストデータのみの試し印刷が要求された場合には、テキスト抽出手段７７Ａからテキストデータを受け、このテキストデータのみによる画像形成動作を実行する。逆に、イメージデータのみの試し印刷が要求された場合には、イメージ抽出手段７７Ｂからイメージデータを受け、このイメージデータのみによる画像形成動作を実行する。
【００４３】
また、この試し印刷手段７９は、「試し印刷モード」としてエリア表示のみが要求された場合には、上記エリア認識手段７８からの出力を受け、テキストデータによって画像形成が行われる記録用紙Ｐ上のエリアの外縁及びイメージデータによって画像形成が行われる記録用紙Ｐ上のエリアの外縁のうちの要求された少なくとも一方を線図により記録用紙Ｐに描くようになっている。具体的には、テキストデータによって画像形成が行われる記録用紙Ｐ上のエリアの外縁を破線で描き、イメージデータによって画像形成が行われる記録用紙Ｐ上のエリアの外縁を実線で描くようになっている。尚、これら各データによって画像形成が行われる記録用紙Ｐ上のエリアの外縁をそれぞれ同じ種類の線図で描くようにしてもよい。
【００４４】
次に、本形態における「試し印刷モード」での画像形成動作について説明する。先ず、本形態に係るインクジェットプリンタの「試し印刷モード」において選択可能な画像形成形式について説明する。このインクジェットプリンタの「試し印刷モード」では、「テキスト画像抽出形式」「イメージ画像抽出形式」「エリア枠形式」「ドラフト形式」の４つの画像形成形式のうちから一つが選択可能である。この選択は上述した如くホストコンピュータ等のユーザによる操作によって行われる。
【００４５】
以下、各画像形成形式が選択された場合に記録用紙Ｐ上に形成される画像についてそれぞれ説明する。
【００４６】
例えば、図４に示すような画像（テキスト画像とイメージ画像とが混在した画像）を形成するための画像データが画像データ入力手段７４に入力された場合、「試し印刷モード」として「テキスト画像抽出形成」が選択された際には、図５（ａ）に示すように、画像データ中のテキストデータによって画像形成される記録用紙Ｐ上の所定エリアのみに対してそのテキストデータによる画像形成動作が実行される。この「テキスト画像抽出形成」は、文字が印刷されるエリア、文字の色、文字のフォント等を記録用紙Ｐ上で確認したい場合に選択されるものである。
【００４７】
また、「試し印刷モード」として「イメージ画像抽出形成」が選択された際には、図５（ｂ）に示すように、画像データ中のイメージデータによって画像形成される記録用紙Ｐ上の所定エリアのみに対してそのイメージデータによる画像形成動作が実行される。この「イメージ画像抽出形成」は、写真等のイメージ画像が形成されるエリア、画像の色合い、画像の大きさ等を確認したい場合に選択されるものである。
【００４８】
更に、「試し印刷モード」として「エリア枠形式」が選択された際には、図５（ｃ）に示すように、画像データ中のテキストデータ及びイメージデータのそれぞれに対し、これら各データによって画像形成が行われる記録用紙Ｐ上のエリアの外縁を線図により描く。この場合、テキストデータによって画像形成が行われる記録用紙Ｐ上のエリアの外縁は破線で描かれ、イメージデータによって画像形成が行われる記録用紙Ｐ上のエリアの外縁は実線で描かれる。この「エリア枠形式」は、文字が印刷される記録媒体上のエリアを確認したい場合、写真等のイメージ画像が形成されるエリアを確認したい場合、更には、テキスト画像エリアとイメージ画像エリアとが重なり合っていないか否かを確認したい場合に選択されるものである。
【００４９】
加えて、「試し印刷モード」として「ドラフト形式」が選択された際には、図５（ｄ）に示すように、画像データ中のテキストデータ及びイメージデータのそれぞれに対し、ドラフト画像の画像形成が行われる。このドラフト画像とは、テキストデータに対しては個々の文字部分に対応して四角形状の枠が描かれる。一方、イメージデータに対しては画像が単色（例えば黒インクのみ）で描かれる。また、イメージデータに対してその画像の輪郭のみを記録媒体上に形成するようにしてもよい。
【００５０】
尚、図５（ｃ）に示した「エリア枠形式」での画像形成状態や図５（ｄ）に示した「ドラフト形式」での画像形成状態としては、更に、テキストデータのみによる画像形成形式、イメージデータのみによる画像形成形式、テキストデータ及びイメージデータの両方による画像形成形式の何れかが選択できるようにしておいてもよい。
【００５１】
このように本形態では、「試し印刷モード」としてユーザが要求するデータのみによる画像形成動作を行ったり、このデータを加工処理（エリア枠の抽出やドラフト処理）して画像形成動作を行うことにより、確認の必要のない部分に対する試し印刷を実行しないことで、「試し印刷モード」における消費インク量の削減化及び試し印刷動作に要する時間の短縮化を図ることが可能である。特に、「エリア枠形式」が選択された場合には、テキスト、イメージの各データ何れに対してもエリアの外縁のみを線図により描くようにしているため、消費インク量の大幅な削減化及び試し印刷動作に要する時間の大幅な短縮化を図ることができる。
【００５２】
（変形例）
上述した実施形態では、テキストデータとイメージデータとが混在した画像データが画像データ入力手段７４に入力された場合の「試し印刷モード」として、「テキスト画像抽出形式」「イメージ画像抽出形式」「エリア枠形式」「ドラフト形式」の４つの画像形成形式のうちから一つが選択可能であった。
【００５３】
それに代えて、本変形例は、テキストデータのみから成る画像データが画像データ入力手段７４に入力された場合や、イメージデータのみから成る画像データが画像データ入力手段７４に入力された場合の「試し印刷モード」について説明する。
【００５４】
先ず、例えば、図６（ａ）に示すような画像（テキストのみから成る画像）を形成するための画像データが画像データ入力手段７４に入力された場合、「試し印刷モード」として「黒色テキスト画像抽出形式」「カラーテキスト画像抽出形式」の何れかが選択可能となっている。
【００５５】
例えば画像データとして図６（ａ）において第１行目から第９行目までの文字が黒色テキストデータ（黒文字）により形成され、第１０行目から第１３行目までの文字が赤色テキストデータ（赤文字）により形成されている場合、「黒色テキスト画像抽出形式」が選択された際には、図６（ｂ）に示すように、黒色テキストデータのみによる画像形成が行われる。一方、「赤色テキスト画像抽出形式」が選択された際には、図６（ｃ）に示すように、赤色テキストデータのみによる画像形成が行われる。つまり、印刷されるエリア、文字の色合い、文字のフォント等を、文字色別に記録用紙Ｐ上で確認したい場合に、所望の画像形成形式が選択可能となっている。
【００５６】
次に、例えば、図７（ａ）に示すような画像（２つのイメージのみから成る画像）を形成するための画像データが画像データ入力手段７４に入力された場合、「試し印刷モード」として「モノクロイメージ画像抽出形式」「カラーイメージ画像抽出形式」の何れかが選択可能となっている。
【００５７】
例えば画像データとして図７（ａ）において上側のイメージ画像がモノクロイメージ画像データにより形成され、下側のイメージ画像がカラーイメージ画像データにより形成されている場合、「モノクロイメージ画像抽出形式」が選択された際には、図７（ｂ）に示すように、モノクロイメージ画像データのみによる画像形成が行われる。一方、「カラーイメージ画像抽出形式」が選択された際には、図７（ｃ）に示すように、カラーイメージ画像データのみによる画像形成が行われる。つまり、複数のイメージ画像のうち、画像形成エリアや画像の色合いを記録用紙Ｐ上で確認したい画像に対してのみ画像形成動作が実行されるように画像形成形式が選択可能となっている。
【００５８】
−その他の実施形態−
上記実施形態では、カラーインクジェットプリンタ１に本発明を適用した場合について説明した。本発明はこれに限らず、モノクロタイプのインクジェットプリンタに適用することも可能である。また、レーザプリンタへの適用も可能である。
【００５９】
また、本発明は、キャリッジ５１が主走査方向に走査しながら画像形成動作を行うシリアルタイプのインクジェットプリンタに限らず、走査動作を行わないラインタイプのインクジェットプリンタへの適用も可能である。
【００６０】
また、ユーザが各インクカートリッジ８１〜８４のインク残量を認識しておき、インク残量が多いインクを利用して試し印刷動作が実行されるように、「試し印刷モード」で使用するインク色をユーザが選択できるようにしてもよい。これによれば、インク切れの発生を回避しながらも試し印刷動作を実行させたり、各インクカートリッジ８１〜８４のインク残量の均一化を図ることができる。また、上記ドットカウンタ７５によって検知される各インクカートリッジ８１〜８４のインク残量に応じて「試し印刷モード」で使用するインクを決定するようにしてもよい。
【００６１】
更に、上記実施形態では、選択可能な画像形成形式として４タイプを備えていた。本発明はこれに限らず、これら４タイプ全てを備えている必要はなく、これらのうちの複数タイプを備えさせるようにすればよい。
【００６２】
【発明の効果】
以上のように、本発明では、取得した全ての画像データをデータの種類毎に種別し、これら種別された画像データの中から試し印刷が要求されたデータのみに基づいた画像形成動作が実行されるようにしている。このため、確認の必要のない部分に対する試し印刷を実行しないことにより、「試し印刷モード」における消費インク量の削減化及び試し印刷動作に要する時間の短縮化を図ることができる。特に、画像データの種別としてテキストデータとイメージデータとの別を対象とした場合において、これら各データによって画像形成が行われる記録媒体上のエリアをそれぞれ個別に認識し、テキストデータによって画像形成が行われる記録媒体上のエリアの外縁及びイメージデータによって画像形成が行われる記録媒体上のエリアの外縁のうちの要求された少なくとも一方のエリアの外縁を線図により記録媒体に描くようにした場合には、消費インク量の大幅な削減化及び試し印刷動作に要する時間の大幅な短縮化を図ることが可能となる。
【図面の簡単な説明】
【図１】実施形態に係るインクジェットプリンタの外観を示す斜視図である。
【図２】インクジェットプリンタの内部構成を示す側面図である。
【図３】インクジェットプリンタの制御部の構成を示すブロック図である。
【図４】テキスト画像データとイメージ画像データとが混在した画像データを取得した場合において、全画像データによって記録用紙上に形成される画像の一例を示す図である。
【図５】（ａ）はテキスト画像抽出形式での記録用紙上の画像を、（ｂ）はイメージ画像抽出形式での記録用紙上の画像を、（ｃ）はエリア枠形式での記録用紙上の画像を、（ｄ）はドラフト形式での記録用紙上の画像をそれぞれ示す図である。
【図６】変形例において、テキストデータのみから成る画像データを取得した場合あって、（ａ）は全ての画像データによって記録用紙上に形成される画像の一例を、（ｂ）は黒色テキスト画像抽出形式での記録用紙上の画像を、（ｃ）はカラーテキスト画像抽出形式での記録用紙上の画像をそれぞれ示す図である。
【図７】変形例において、イメージデータのみから成る画像データを取得した場合あって、（ａ）は全ての画像データによって記録用紙上に形成される画像の一例を、（ｂ）はモノクロイメージ画像抽出形式での記録用紙上の画像を、（ｃ）はカラーイメージ画像抽出形式での記録用紙上の画像をそれぞれ示す図である。
【符号の説明】
１          カラーインクジェットプリンタ（画像形成装置）
７７        データ種別手段
７７Ａ      テキスト抽出手段
７７Ｂ      イメージ抽出手段
７８        エリア認識手段
７９        試し印刷手段
Ｐ          記録用紙（記録媒体）
【図１】
0004298221.tif 000002
【図２】
0004298221.tif 000003
【図３】
0004298221.tif 000004
【図４】
0004298221.tif 000005
【図５】
0004298221.tif 000006
【図６】
0004298221.tif 000007
【図７】
0004298221.tif 000008